(57)【要約】【課題】直観式に焦点をウインドウエリアとツールバーにおいて移動させる方法及びその装置の提供。【解決手段】テレビジョンにセットトップボックス（ＳＴＢ）を連結した環境において応用される。本発明は使用者がアップ、ダウン、レフト、ライトの方向キーを具えた入力装置で焦点を制御してウインドウエリア及びツールバー中で移動させるだけで、使用者がホームページをブラウジングできるようにする。方向キーを押下る時、焦点はウインドウエリア或いはツールバー中で移動し、且つウインドウエリアよりツールバーにも移動でき、或いはツールバーよりウインドウエリア中にも移動できる。【選択図】　　　　図３
2004038873.tif 000002
【特許請求の範囲】
【請求項１】
直観式に焦点をウインドウ領域とツールバーにおいて移動させる方法において、該方法は、使用者がアップ、ダウン、ライト、レフトの方向キーを具えた入力装置により焦点を制御して一つのウインドウ中及びツールバー中で移動させることができるようにし、そのうち、ウインドウ中に複数のリンクがあり、ツールバーは複数の機能ボタンを具え、
該方法は以下のステップ、すなわち、
現在焦点がウインドウエリア中に位置する状況１にあって、
ステップＡ：　アップ、ダウン、レフト、ライトの方向キーのうち一つの方向キーが押下げられた信号を受け取る、
ステップＢ：　押下げられた方向キーのうち一つの方向キーの指す方向に隣り合うリンクがあるか否かを判断し、もしあれば焦点をその隣り合うリンクに移動させ、もし無ければ続いてステップＣを実行する、
ステップＣ：　押下げられた方向キーがアップの方向キーであれば、焦点をツールバー中に移動させる、
現在焦点がツールバー中に位置する状況２にあって、
ステップＤ：　アップ、ダウン、レフト、ライトの方向キーのうち一つの方向キーが押下げられた信号を受け取る、
ステップＥ：　押下げられた方向キーの指す方向に隣り合う機能ボタンがあるか否かを判断し、もしあれば焦点をその隣り合う機能ボタンに移動させ、もし無ければ続いてステップＦを実行する、
ステップＦ：　押下げられた方向キーがダウンの方向キーであれば、焦点をウインドウエリア中に移動させる、
以上のステップを具えたことを特徴とする、直観式に焦点をウインドウ領域とツールバーにおいて移動させる方法。
【請求項２】
請求項１に記載の直観式に焦点をウインドウ領域とツールバーにおいて移動させる方法において、ステップＣで、焦点をツールバー中の最も左の機能ボタンに移動させることを特徴とする、直観式に焦点をウインドウ領域とツールバーにおいて移動させる方法。
【請求項３】
請求項１に記載の直観式に焦点をウインドウ領域とツールバーにおいて移動させる方法において、ステップＦで、焦点をウインドウエリア中の最も左上方のリンクに移動させることを特徴とする、直観式に焦点をウインドウ領域とツールバーにおいて移動させる方法。
【請求項４】
請求項１に記載の直観式に焦点をウインドウ領域とツールバーにおいて移動させる方法において、ステップＣで、押下げられた方向キーがアップキーでなければ焦点を不動とすることを特徴とする、直観式に焦点をウインドウ領域とツールバーにおいて移動させる方法。
【請求項５】
請求項１に記載の直観式に焦点をウインドウ領域とツールバーにおいて移動させる方法において、ステップＦで、押下げられた方向キーがダウンキ０でなければ焦点を不動とすることを特徴とする、直観式に焦点をウインドウ領域とツールバーにおいて移動させる方法。
【請求項６】
ネットワーク信号を受信してホームページとの接続を実行し、並びに画像信号をテレビジョン受像機に出力し、使用者がテレビジョン受像機を透過してホームページの内容を閲覧できるようにするセットトップボックスにおいて、該セットトップボックスは、使用者がアップ、ダウン、ライト、レフトの方向キーを具えた入力装置により焦点を制御して一つのウインドウ中及びツールバー中で移動させることができるようにし、そのうち、ウインドウ中に複数のリンクがあり、ツールバーが複数の機能ボタンを具え、該セットトップボックスが以下のメカニズムを達成し、すなわち、
現在焦点がウインドウエリア中に位置する状況１にあって、
ステップＡ：　アップ、ダウン、レフト、ライトの方向キーのうち一つの方向キーが押下げられた信号を受け取る、
ステップＢ：　押下げられた方向キーのうち一つの方向キーの指す方向に隣り合うリンクがあるか否かを判断し、もしあれば焦点をその隣り合うリンクに移動させ、もし無ければ続いてステップＣを実行する、
ステップＣ：　押下げられた方向キーがアップの方向キーであれば、焦点をツールバー中に移動させる、
現在焦点がツールバー中に位置する状況２にあって、
ステップＤ：　アップ、ダウン、レフト、ライトの方向キーのうち一つの方向キーが押下げられた信号を受け取る、
ステップＥ：　押下げられた方向キーの指す方向に隣り合う機能ボタンがあるか否かを判断し、もしあれば焦点をその隣り合う機能ボタンに移動させ、もし無ければ続いてステップＦを実行する、
ステップＦ：　押下げられた方向キーがダウンの方向キーであれば、焦点をウインドウエリア中に移動させる、
以上を特徴とする、セットトップボックス。
【請求項７】
請求項６に記載のセットトップボックスにおいて、ステップＣで、焦点をツールバー中の最も左の機能ボタンに移動させることを特徴とする、セットトップボックス。
【請求項８】
請求項６に記載のセットトップボックスにおいて、ステップＦで、焦点をウインドウエリア中の最も左上方のリンクに移動させることを特徴とする、セットトップボックス。
【請求項９】
請求項６に記載のセットトップボックスにおいて、ステップＣで、押下げられた方向キーがアップキーでなければ焦点を不動とすることを特徴とする、セットトップボックス。
【請求項１０】
請求項６に記載のセットトップボックスにおいて、ステップＦで、押下げられた方向キーがダウンキ０でなければ焦点を不動とすることを特徴とする、セットトップボックス。
【発明の詳細な説明】
【０００１】
【発明の属する技術分野】
本発明は一種の直観式に焦点をウインドウエリアとツールバーにおいて移動させる方法及びその装置に関する発明であり、その適用範囲はセットトップボックス（Ｓｅｔ　Ｔｏｐ　Ｂｏｘ，ＳＴＢ）等の情報家電（ＩＡ）エリアへの応用を含む。
【０００２】
【従来の技術】
伝統的な周知のセットトップボックスは、通常テレビジョン受像機と組み合わせて使用される。使用者はテレビジョン受像機のネットワークインタフェースを透過してネットワーク信号を受信し、及び、チューナを透過してテレビジョン信号と連結される。これにより使用者は必要に依りテレビ番組を観るか、或いはネットワークモードに切り換えてネットワークに接続することができる。セットトップボックスはオンライン機能を有し、ゆえに使用者は直接セットトップボックスを透過してインターネットに接続でき、パソコンを使用する必要がなく、セットトップボックスがテレビとコンピュータの機能を集成した多機能サービスのワークステーションとされ、情報家電製品の推奨に顕著な効果を有する。
現在、一般に表示を行うブラウザは通常、ウインドウエリアとツールバーを具えている。ウインドウエリアはホームページ（ＨＰ）の情報を表示し、通常、ＨＰ内には複数のリンクがある。ツールバーは複数の機能ボタンを具え、これらの機能ボタンはある機能、例えばページ捲りを実行するのに使用される。
【０００３】
周知のブラウザ、例えばパソコンのブラウザは、マウスを用いて焦点（ｆｏｃｕｓ）の移動を制御するが、マウスを使用しないこともでき、伝統的にウインドウエリアは、タブキーを利用して焦点の移動を制御できる。しかしもし焦点をツールバーに移動させる必要がある時は、Ａｌｔキーを押して焦点をツールバーに移動させるが、その後、異なる機能ボタンを選択する必要がある時には、方向キーを利用して制御を行わねばならない。同様に、焦点をツールバーからウインドウエリアに移動させる必要がある時は、Ａｌｔキーを押さねばならない。
【０００４】
セットトップボックスは基本的にマウスの配備がなく、これにより伝統的な方式を利用してキーを押して焦点を移動させる時には、常々問題を形成した。これにより、使用者のための、焦点を移動する簡単便利な方法が必要とされている。
【０００５】
【発明が解決しようとする課題】
本発明の主要な目的は、一種の直観式に焦点をウインドウエリアとツールバーにおいて移動させる方法及びその装置を提供し、入力装置のアップ、ダウン、レフト、ライトの方向キーにより直観式に焦点を制御してウインドウエリアとツールバーにおいて移動させ、使用者がＨＰを閲覧できるようにすることにある。
【０００６】
【課題を解決するための手段】
請求項１の発明は、直観式に焦点をウインドウ領域とツールバーにおいて移動させる方法において、該方法は、使用者がアップ、ダウン、ライト、レフトの方向キーを具えた入力装置により焦点を制御して一つのウインドウ中及びツールバー中で移動させることができるようにし、そのうち、ウインドウ中に複数のリンクがあり、ツールバーは複数の機能ボタンを具え、
該方法は以下のステップ、すなわち、
現在焦点がウインドウエリア中に位置する状況１にあって、
ステップＡ：　アップ、ダウン、レフト、ライトの方向キーのうち一つの方向キーが押下げられた信号を受け取る、
ステップＢ：　押下げられた方向キーのうち一つの方向キーの指す方向に隣り合うリンクがあるか否かを判断し、もしあれば焦点をその隣り合うリンクに移動させ、もし無ければ続いてステップＣを実行する、
ステップＣ：　押下げられた方向キーがアップの方向キーであれば、焦点をツールバー中に移動させる、
現在焦点がツールバー中に位置する状況２にあって、
ステップＤ：　アップ、ダウン、レフト、ライトの方向キーのうち一つの方向キーが押下げられた信号を受け取る、
ステップＥ：　押下げられた方向キーの指す方向に隣り合う機能ボタンがあるか否かを判断し、もしあれば焦点をその隣り合う機能ボタンに移動させ、もし無ければ続いてステップＦを実行する、
ステップＦ：　押下げられた方向キーがダウンの方向キーであれば、焦点をウインドウエリア中に移動させる、
以上のステップを具えたことを特徴とする、直観式に焦点をウインドウ領域とツールバーにおいて移動させる方法としている。
請求項２の発明は、請求項１に記載の直観式に焦点をウインドウ領域とツールバーにおいて移動させる方法において、ステップＣで、焦点をツールバー中の最も左の機能ボタンに移動させることを特徴とする、直観式に焦点をウインドウ領域とツールバーにおいて移動させる方法としている。
請求項３の発明は、請求項１に記載の直観式に焦点をウインドウ領域とツールバーにおいて移動させる方法において、ステップＦで、焦点をウインドウエリア中の最も左上方のリンクに移動させることを特徴とする、直観式に焦点をウインドウ領域とツールバーにおいて移動させる方法としている。
請求項４の発明は、請求項１に記載の直観式に焦点をウインドウ領域とツールバーにおいて移動させる方法において、ステップＣで、押下げられた方向キーがアップキーでなければ焦点を不動とすることを特徴とする、直観式に焦点をウインドウ領域とツールバーにおいて移動させる方法としている。
請求項５の発明は、請求項１に記載の直観式に焦点をウインドウ領域とツールバーにおいて移動させる方法において、ステップＦで、押下げられた方向キーがダウンキ０でなければ焦点を不動とすることを特徴とする、直観式に焦点をウインドウ領域とツールバーにおいて移動させる方法としている。
請求項６の発明は、ネットワーク信号を受信してホームページとの接続を実行し、並びに画像信号をテレビジョン受像機に出力し、使用者がテレビジョン受像機を透過してホームページの内容を閲覧できるようにするセットトップボックスにおいて、該セットトップボックスは、使用者がアップ、ダウン、ライト、レフトの方向キーを具えた入力装置により焦点を制御して一つのウインドウ中及びツールバー中で移動させることができるようにし、そのうち、ウインドウ中に複数のリンクがあり、ツールバーが複数の機能ボタンを具え、該セットトップボックスが以下のメカニズムを達成し、すなわち、
現在焦点がウインドウエリア中に位置する状況１にあって、
ステップＡ：　アップ、ダウン、レフト、ライトの方向キーのうち一つの方向キーが押下げられた信号を受け取る、
ステップＢ：　押下げられた方向キーのうち一つの方向キーの指す方向に隣り合うリンクがあるか否かを判断し、もしあれば焦点をその隣り合うリンクに移動させ、もし無ければ続いてステップＣを実行する、
ステップＣ：　押下げられた方向キーがアップの方向キーであれば、焦点をツールバー中に移動させる、
現在焦点がツールバー中に位置する状況２にあって、
ステップＤ：　アップ、ダウン、レフト、ライトの方向キーのうち一つの方向キーが押下げられた信号を受け取る、
ステップＥ：　押下げられた方向キーの指す方向に隣り合う機能ボタンがあるか否かを判断し、もしあれば焦点をその隣り合う機能ボタンに移動させ、もし無ければ続いてステップＦを実行する、
ステップＦ：　押下げられた方向キーがダウンの方向キーであれば、焦点をウインドウエリア中に移動させる、
以上を特徴とする、セットトップボックスとしている。
請求項７の発明は、請求項６に記載のセットトップボックスにおいて、ステップＣで、焦点をツールバー中の最も左の機能ボタンに移動させることを特徴とする、セットトップボックスとしている。
請求項８の発明は、請求項６に記載のセットトップボックスにおいて、ステップＦで、焦点をウインドウエリア中の最も左上方のリンクに移動させることを特徴とする、セットトップボックスとしている。
請求項９の発明は、請求項６に記載のセットトップボックスにおいて、ステップＣで、押下げられた方向キーがアップキーでなければ焦点を不動とすることを特徴とする、セットトップボックスとしている。
請求項１０の発明は、請求項６に記載のセットトップボックスにおいて、ステップＦで、押下げられた方向キーがダウンキーでなければ焦点を不動とすることを特徴とする、セットトップボックスとしている。
【０００７】
【発明の実施の形態】
本発明は、ウインドウエリアとツールバー中にあって焦点を移動させる方法を提供し、それは、使用者がアップ、ダウン、レフト、ライトの方向キーを具えた入力装置により焦点を制御して一つのウインドウ中及びツールバー中で移動させることができるようにし、そのうち、ウインドウ中には複数のリンクがあり、ツールバーは複数の機能ボタンを具えている。
【０００８】
本発明の方法は以下のステップを含む。
第１種の状況は現在焦点がウインドウエリア中に位置する時であり、
ステップＡ：　アップ、ダウン、レフト、ライトの方向キーのうち一つの方向キーが押下げられた信号を受け取る、
ステップＢ：　押下げられた方向キーのうち一つの方向キーの指す方向に隣り合うリンクがあるか否かを判断し、もしあれば焦点をその隣り合うリンクに移動させ、もし無ければ続いてステップＣを実行する、
ステップＣ：　押下げられた方向キーがアップの方向キーであれば、焦点をツールバー中に移動させ、これにより焦点をウインドウエリアよりツールバー中に移動させる。
第２種の状況は現在焦点がツールバー中に位置する時であり、
ステップＤ：　アップ、ダウン、レフト、ライトの方向キーのうち一つの方向キーが押下げられた信号を受け取る、
ステップＥ：　押下げられた方向キーの指す方向に隣り合う機能ボタンがあるか否かを判断し、もしあれば焦点をその隣り合う機能ボタンに移動させ、もし無ければ続いてステップＦを実行する、
ステップＦ：　押下げられた方向キーがダウンの方向キーであれば、焦点をウインドウエリア中に移動させ、これにより焦点をツールバー中よりウインドウエリアに移動させる。
【０００９】
本発明の構造は新規であり、産業上の利用を提供し、且つ確実に増進された機能を有し、ゆえに特許出願を行う。
【００１０】
【実施例】
図１は本発明の実施環境の表示図である。セットトップボックス１０はテレビジョン受像機３０に連結され、並びにネットワーク信号５１及びテレビジョン信号５２を受信し、これにより使用者はテレビジョン受像機３０を使用してテレビを鑑賞できるほか、テレビジョン受像機３０によりＨＰに接続してその内容を閲覧することができる。通常、使用者は赤外線発射器１８３を具えた入力装置１８により、制御命令を赤外線受信器１５を具えたセットトップボックス１０に入力する。一般には、入力装置１８はリモートコントローラ１８１或いはキーボード（図示せず）とされ、図１はカーソルキー（方向キー１８２）を具えたリモートコントローラ１８１を表示し、且つこのリモートコントローラ１８１は赤外線発射器１８３を具え、その発射する赤外線信号がセットトップボックス１０の赤外線受信器１５により受信される。
【００１１】
続いて図２を参照されたい。図２は本発明のセットトップボックス１０のハードウエア構造図である。セットトップボックス１０は、多くの部分が一般のパソコンの基本構造に類似している。一般にセットトップボックス１０は、プロセッサ１１、システムバス１１１、記憶装置１２（メモリ、ハードディスク、メモリカードとされうる）、音声処理ユニット１３、画像処理ユニット１４を具えるほか、パソコンと異なり、赤外線受信器１５、ネットワークインタフェース１６、チューナー１７、及び入力装置１８を具えている。ネットワーク信号５１（例えばインターネットより伝送された信号）はネットワークインタフェース１６より進入し、テレビジョン信号５２はチューナー１７に入力される。ただし、現在、ネットワーク信号５１及びテレビジョン信号５２で一つのケーブルを共用する状況がある。本発明のポイントはセットトップボックス１０のハードウエア部分の改良にあるのではなく、且つセットトップボックス１０のハードウエア及び基本機能は周知であるため、ここでは詳しく説明しない。
【００１２】
本発明のセットトップボックス１０の特徴は、使用者がセットトップボックス１０のアップ、ダウン、レフト、ライトの方向キー１８２を具えた入力装置１８により焦点を制御してウインドウエリア２０とツールバー２１において移動させられることにある。図４に示される実施例では、ウインドウエリア２０が三つのフレーム４１、４２、４３に分割され、且つフレーム中にそれぞれ複数のリンク（例えばリンク４１１〜４１３、リンク４２１〜４２３、リンク４３１〜４３２）があり、ツールバー２１中に四つの機能ボタン２１１、２１２、２１３及び２１４がある。このほか、バナー２２、２３もある。使用者がリモートコントローラ１８１の方向キー１８２をクリックする時、焦点は、使用者が選択しクリックした方向の信号に基づき、隣り合うリンク或いはフレームに移動するか或いはスクロールを行うか、或いはツールバー２１の機能ボタンに移動する。しかし、いかに方向キー１８２を利用してウインドウエリア２０において焦点を移動させるかは、本発明者による別の特許出願に記載されている。本発明の重点は、一つのウインドウエリア２０とツールバー２１の間において焦点を移動させる方法に関する。
【００１３】
セットトップボックス１０によりウインドウエリア２０中の焦点を、一つのウインドウエリア２０とツールバー２１の間において移動させる方法について、図３の本発明のフローチャートを参照されたい。まず、セットトップボックス１０が方向キー１８２が押下げられた信号を受信する（ステップＳ１０）、すなわち、ユーザー端がリモートコントローラ１８１の方向キー１８２で焦点移動させたい方向（アップ、ダウン、レフト、）を選択し、赤外線発射器１８３で情報をセットトップボックス１０の赤外線受信器１５に送り、さらにセットトップボックス１０の処理により、焦点を制御し動作させる。本実施例の赤外線発射器１８３はＩｒＤＡ（Ｉｎｆｏｒｍａｔｉｏｎ　Ｄａｔａ　Ａｓｓｏｃｉａｔｉｏｎ）の伝送原理を使用し、且つＰＳ２インタフェースを利用してセットトップボックス１０に連接され、さらにプロセッサ１１により赤外線発射器１８３が発射したスキャンコードをキーコードに変換するかマウスイベントコード（ｍｏｕｓｅ　ｅｖｅｎｔ　ｃｏｄｅ）に変換し、セットトップボックス１０が使用者の選択した方向キー１８２によりウインドウエリア２０の焦点の移動制御を行える。
【００１４】
方向キー１８２が押下げられた後は以下の二つの状況に分けられ、第１種の状況は焦点が現在ウインドウエリア２０中に位置する状況で、ステップＳ１１〜ＳＳ１５に示され、第２種の状況は焦点が現在ツールバー２１中に位置する状況で、ステップＳ２１〜ＳＳ２５に示される。
第１種の状況：現在焦点がウインドウエリア中に位置する
ステップＳ１１：
押下げられた方向キー１８２の指し示す方向に隣り合うリンクがあるか否かを判断し、もしあればステップＳ１２を実行し、なければステップＳ１３を実行する。
ステップＳ１２：
焦点を隣り合うリンクに移動させる。例えば、焦点が現在リンク４１１に位置し、使用者が方向キー１８２のダウンキーを押下げた場合、セットトップボックス１０が下向きの情報を受信し、リンク４１１下方はリンク４１２であるため、セットトップボックス１０が焦点をリンク４１２に移動させる。また、焦点が現在リンク４１１に位置している時、使用者が方向キー１８２のライトキーを押した場合、焦点をリンク４２１に移動させる。
ステップＳ１３：
押下げられた方向キー１８２がアップキーであるか否かを判断し、もしアップキーであればステップＳ１５を実行し、そうでなければステップＳ１４を実行する。
ステップＳ１４：
焦点を不動とし、すなわち、焦点を元来のリンクに置く。例えば焦点の現在の位置がリンク４１１にあり、使用者が方向キー１８２のレフトキーを押した場合、焦点は依然としてリンク４１１に位置する。
ステップＳ１５：
焦点をツールバー２１に移動させ、最も好ましくは、ツールバー２１中の最も左側の機能ボタン２１１に移動させて、一般使用者の習慣に符合させる。例えば、焦点が現在リンク４１１（或いはリンク４２１、リンク４２２）に位置しており、使用者が方向キー１８２のアップキーを押下げた場合、焦点は機能ボタン２１１に移動する。
第２種の状況：現在焦点がツールバー２１中に位置する。
ステップＳ２１：
押下げられた方向キー１８２の指し示す方向に隣り合う機能ボタンがあるか否かを判断し、もしあればステップＳ２２を実行し、なければステップＳ２３を実行する。
ステップＳ２２：
焦点を隣り合う機能ボタンに移動させる。例えば、焦点が現在機能ボタン２１２に位置し、使用者が方向キー１８２のライトキーを押下げた場合、焦点は機能ボタン２１３に移動する。
ステップＳ２３：
押下げられた方向キー１８２がダウンキーであるか否かを判断し、もしダウンキーであればステップＳ２５を実行し、そうでなければステップＳ２４を実行する。
ステップＳ２４：
焦点を不動とし、すなわち、焦点を元来の機能ボタンに置く。例えば焦点の現在の位置が機能ボタン２１２にあり、使用者が方向キー１８２のアップキーを押した場合、焦点は依然として機能ボタン２１２に位置する。このほか、焦点が現在機能ボタン２１４に位置しており、使用者が方向キー１８２のライトキーを押下げた場合は、焦点は依然として機能ボタン２１４上に位置し、当然、循環の効果であるよう設計して、焦点を機能ボタン２１１に移動させることも可能である。
ステップＳ２５：
焦点をウインドウエリア２０中に移動させ、最も好ましくは、ウインドウエリア２０中の最も左上方のリンク４１１に移動させて、一般使用者の習慣に符合させる。例えば、焦点が現在機能ボタン２１１（或いは機能ボタン２１２、２１３、或いは２１４）に位置しており、使用者が方向キー１８２のダウンキーを押下げた場合、焦点はリンク４１１に移動する。
【００１５】
【発明の効果】
総合すると、本発明はその目的、手段、機能のいずれにおいても周知の技術の特徴とは異なっており、実用価値を極めて有するほか、新規性、進歩性及び産業上の利用価値を有する発明である。なお、以上の実施例は本発明の実施範囲を限定するものではなく、以上の説明及び図面に基づきなしうる細部の修飾或いは改変は、いずれも本発明の請求範囲に属するものとする。
【図面の簡単な説明】
【図１】本発明の実施環境表示図である。
【図２】セットトップボックスのハードウエア構造図である。
【図３】本発明の実施例のフローチャートである。
【図４】本発明のテレビジョンスクリーンにおける表示の実施例表示図である。
【符号の説明】
１０　セットトップボックス　　　　　１１　プロセッサ
１１１　システムバス　　　　　　　　１２　記憶装置
１３　音声処理ユニット　　　　　　　１４　画像処理ユニット
１５　赤外線受信器　　　　　　　　　１６　ネットワークインタフェース
１７　チューナー　　　　　　　　　　１８　入力装置
１８１　リモートコントローラ　　　　１８２　方向キー
１８３　赤外線発射器　　　　　　　　２０　ウインドウエリア
２１　ツールバー　　　　　　２１１〜２１４　機能ボタン
２２、２３　バナー　　　　　　　　　２４　スクロールバー
３０　テレビジョン受像機　　　　　　４１、４２、４３　フレーム
４１１〜４１３、４２１〜４２３、４３１、４３２　リンク
５１　ネットワーク信号　　　　　　　５２　テレビジョン信号
【図１】
2004038873.tif 000003
【図２】
2004038873.tif 000004
【図３】
2004038873.tif 000005
【図４】
2004038873.tif 000006
【手続補正書】
【提出日】平成14年7月15日(2002.7.15)
【手続補正１】
【補正対象書類名】図面
【補正対象項目名】図３
【補正方法】変更
【補正の内容】
【図３】
2004038873.tif 000007